(57)【要約】      （修正有）【課題】歩行時により省力化が図れ、全体的な実用の効果を高めることができる靴の中敷の構造を提供する。【解決手段】中敷体１の前端と後端間の中央位置には上方へと弧状に約１３０〜１５０度突出する縦方向弧状曲面を形成し、前端と後端間の内側位置には上方へと弧状に約１２５〜１４５突出する内弧状曲面を形成し、前端と後端間の外側位置には上方へと弧状に約１３５〜１５５度突出する外弧状曲面を形成し、中敷体１の前方に近い両側間には上方へと弧状に約１３０〜１５０度突出する前横方向弧状曲面を形成し、中敷体１の中央に近い両側間には上方へと弧状に約１４５〜１５５度突出する中横方向弧状曲面を形成し、中敷体１内側縁には約７５〜９５度の角度で傾斜する内側サポート壁１７を突出状に設置し、中敷体１外側縁には約５５〜７５度の角度で傾斜する外側サポート壁１８を突出状に設置し、よって、大きなサポート面積を備える。【選択図】図１
0003173701.tif 000002
【実用新案登録請求の範囲】
【請求項１】
反圧力及び弾力特性を備える中敷体を有する靴の中敷の構造であって、
前記中敷体の前端と後端間の中央位置には、上方へと弧状に約１３０〜１５０度突出する縦方向弧状曲面を形成し、前端と後端間の内側位置には、上方へと弧状に約１２５〜１４５突出する内弧状曲面を形成し、前端と後端間の外側位置には、上方へと弧状に約１３５〜１５５度突出する外弧状曲面を形成し、
前記中敷体の前方に近い両側間には、上方へと弧状に約１３０〜１５０度突出する前横方向弧状曲面を形成し、
前記中敷体の中央に近い両側の間には、上方へと弧状に約１４５〜１５５度突出する中横方向弧状曲面を形成し、
前記中敷体内側縁には、約７５〜９５度の角度で傾斜する内側サポート壁を突出状に設置し、
前記中敷体外側縁には、約５５〜７５度の角度で傾斜する外側サポート壁を突出状に設置することを特徴とする靴の中敷の構造。
【請求項２】
前記中敷体上端面の前端、後端、及び内側位置にはすべて、振動吸収体を設置することを特徴とする、請求項１に記載の靴の中敷の構造。
【考案の詳細な説明】
【技術分野】
【０００１】
本考案は靴の中敷の構造に係り、特に大きなサポート面積を備え、しかも施力のバランスがとれ、足裏にスターティングブロックのような推進効果を提供することができ、これにより使用者は歩行時により省力化が図れ、全体的な実用の効果を高めることができる最新の設計である靴の中敷の構造に関する。
【背景技術】
【０００２】
一般に人々は、靴をはくことで、足部の安全を守り、清潔を保持している。これにより、ラフな硬い地面を歩く時も、石や異物などによる擦り傷、刺し傷を避けることができる。市販されている大部分の靴を総覧すると、着用時の快適性を高めるため、靴内にはみな中敷が設置されている。中敷は、樹脂に発泡材料を加え、型に入れて発泡させて成型する発泡材である。これをさらに、靴の形状に合わせて裁断し、適当な大きさの中敷とする。これにより、靴の着用時、発泡材を利用して製造する靴の中敷は、柔らかい快適感を足裏に提供することができる。
【０００３】
しかし、上記した靴の中敷は、使用者の足裏に柔らかい快適感を提供するという予期の効果を達成することはできるが、実際の使用時に、以下の欠点があることが発見された。すなわち、従来の構造は、足裏全体に対してサポートするため、足裏の力の入れ方が不均衡になってしまう。これにより、足裏に対して圧力を生じ易く、しかもふくらはぎの筋肉に対して圧力と負担を生じる。
【０００４】
また、もしその靴の中敷が柔らかすぎれば、足裏に対して十分なサポート力を提供することができず、歩いている過程で、使用者の足裏は内向きに偏り、或いは外向きに偏るという問題が存在する。さらに、靴の中敷が硬すぎれば、土踏まずの筋肉及びふくらはぎの筋肉に対して、圧力と引力を生じ、使用者が歩いている過程で、足部筋肉のだるい痛みを引き起こし易い。本考案は、従来の靴の中敷の構造の上記した欠点に鑑みてなされたものである。
【考案の概要】
【考案が解決しようとする課題】
【０００５】
本考案が解決しようとする課題は、大きなサポート面積を備え、しかも施力のバランスがとれ、足裏にスターティングブロックのような推進効果を提供することができ、これにより使用者は歩行時により省力化が図れ、全体的な実用の効果を高めることができる靴の中敷の構造を提供することである。
【課題を解決するための手段】
【０００６】
上記課題を解決するため、本考案の靴の中敷の構造は、該中敷体の前、後端間の中央位置には、上方へと弧状に約１３０〜１５０度突出する縦方向弧状曲面を形成し、前、後端間の内側位置には、上方へと弧状に約１２５〜１４５突出する内弧状曲面を形成し、前、後端間の外側位置には、上方へと弧状に約１３５〜１５５度突出する外弧状曲面を形成し、該中敷体１の前方に近い両側間には、上方へと弧状に約１３０〜１５０度突出する前横方向弧状曲面を形成し、該中敷体の中央に近い両側の間には、上方へと弧状に約１４５〜１５５度突出する中横方向弧状曲面を形成し、該中敷体１内側縁には、約７５〜９５度の角度で傾斜する内側サポート壁を突出状に設置し、該中敷体外側縁には、約５５〜７５度の角度で傾斜する外側サポート壁を突出状に設置し、これにより、大きなサポート面積を備え、しかも施力のバランスがとれ、足裏にスターティングブロックのような推進効果を提供することができ、これにより使用者は歩行時により省力化が図れ、全体的な実用の効果を高めることができる。
【考案の効果】
【０００７】
本考案の靴の中敷の構造は、大きなサポート面積を備え、しかも施力のバランスがとれ、足裏にスターティングブロックのような推進効果を提供することができ、これにより使用者は歩行時により省力化が図れ、全体的な実用の効果を高めることができる。
【図面の簡単な説明】
【０００８】
【図１】本考案の立体構造図である。
【図２】本考案の俯瞰構造図である。
【図３】図２のa-a位置における断面構造図である。
【図４】図２のb-b位置における断面構造図である。
【図５】図２のc-c位置における断面構造図である。
【図６】図２のd-d位置における断面構造図である。
【図７】図２のe-e位置における断面構造図である。
【図８】本考案の使用状態図である。
【考案を実施するための形態】
【０００９】
以下に図面を参照しながら本考案を実施するための最良の形態について詳細に説明する。
【００１０】
本考案の立体構造図である図１、本考案の俯瞰構造図である図２に示すように、本考案は反圧力及び弾力特性を備える中敷体１を備える。しかも、中敷体１上端面前、後端、及び内側位置にはすべて、振動吸収体１１を設置する。
【００１１】
中敷体１前、後端間の中央位置には、上方へと弧状に約１３０〜１５０度突出する縦方向弧状曲面１２を形成する(図２のa-a位置における断面構造図である図３参照)。
【００１２】
また、前、後端間の内側位置には、上方へと弧状に約１２５〜１４５突出する内弧状曲面１３を形成する(図２のb-b位置における断面構造図である図４参照)。
【００１３】
さらに、前、後端間の外側位置には、上方へと弧状に約１３５〜１５５度突出する外弧状曲面１４を形成する(図２のc-c位置における断面構造図である図５参照)。
【００１４】
中敷体１の前方に近い両側間には、上方へと弧状に約１３０〜１５０度突出する前横方向弧状曲面１５を形成する(図２のd-d位置における断面構造図である図６参照)。
【００１５】
また、中敷体１の中央に近い両側の間には、上方へと弧状に約１４５〜１５５度突出する中横方向弧状曲面１６を形成し(図２のe-e位置における断面構造図である図7参照)、中敷体１内側縁には、約７５〜９５度の角度で傾斜する内側サポート壁１７を突出状に設置する。
【００１６】
中敷体１外側縁には、約５５〜７５度の角度で傾斜する外側サポート壁１８を突出状に設置する。
【００１７】
本考案の使用状態図である図８に示すように、使用時には、中敷体１を靴中に入れる。次に、人の足を靴中に入れると、人の足部の踵骨部は、中敷体１後ろ側に固定して設置する振動吸収体１１上に位置する。その爪先骨部４１部分は、中敷体１前端に設置する振動吸収体１１位置にあたる。しかも、爪先骨部４１と踵骨部間にあたる土踏まず中央位置は、中敷体１の上方へと弧状に約１３０〜１５０度突出する縦方向弧状曲面１２、上方へと弧状に約１３０〜１５０度突出する前横方向弧状曲面１５上及び上方へと弧状に約１４５〜１５５度突出する中横方向弧状曲面１６に密着する。
【００１８】
内側位置は、中敷体１の上方へと約１２５〜１４５度突出する内弧状曲面１３上に密着し、外側位置は、中敷体１の上方へと弧状に約１３５〜１５５度突出する外弧状曲面１４上に密着する。これにより、内足部もまた、振動吸収体１１に接触する。
【００１９】
また、足部内側部は、中敷体１内側縁の約７５〜９５度の角度で傾斜する内側サポート壁１７に接触して支えられ、足部外側は、中敷体１外側縁の約５５〜７５度の角度で傾斜する外側サポート壁１８に接触して支えられる。こうして、足部全体は、完全にサポートされる。
【００２０】
人体が直立、歩行、或いは走る時、使用者の足部は、地面に圧力をかけ、同時に、足部の爪先骨部と踵骨部の部位は、地面の反発力の衝撃を受ける。この時、この位置に設置する爪先骨部と踵骨部底の振動吸収体１１は、この反発力の爪先骨部と踵骨部に対する衝撃を、効果的に分散して低下させることができる。
【００２１】
さらに、足部は、人体重量による圧力を受けるが、足部全体により身体を支える設計であるため、圧力を足部の各部位に均一に分散することができる。こうして、人体は直立を保持することができ、身体は直線状態を呈し、猫背になったり曲がったりしない。これにより、踵の疼痛、足底筋膜炎、身体バランス失調などの現象を回避することができる。
【００２２】
足部が重量を受けると、偏平足やハイアーチ足の場合には、その足部は、内向きに偏り、或いは外向きに偏るが、中敷体１両側に突出する内側サポート壁１７及び外側サポート壁１８により、支えて位置を限定することができる。こうして、足部の内向きの偏り、或いは外向きの偏りが引き起こす関節疼痛、腰上部の疼痛、不良な姿勢などの状況を改善することができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
１    中敷体
１１  振動吸収体
１２  縦方向弧状曲面
１３  内弧状曲面
１４  外弧状曲面
１５  前横方向弧状曲面
１６  中横方向弧状曲面
１７  内側サポート壁
１８  外側サポート壁
【図１】
0003173701.tif 000003
【図２】
0003173701.tif 000004
【図３】
0003173701.tif 000005
【図４】
0003173701.tif 000006
【図５】
0003173701.tif 000007
【図６】
0003173701.tif 000008
【図７】
0003173701.tif 000009
【図８】
0003173701.tif 000010